(57)【要約】【課題】顔料等の機能物質が均一分散されたポリマー含有組成物およびインク組成物を提供すること。【解決手段】機能物質と、溶媒と、親水性ブロックセグメントを有するポリビニルエーテルポリマーと、を含有するポリマー含有組成物であって、該親水性ブロックセグメントの繰り返し単位における、該親水性ブロックセグメントの主鎖を形成する、エーテル酸素原子が結合していない炭素原子側の、該親水性ブロックセグメントの繰り返し単位の末端となる炭素原子と、該炭素原子側の末端基との結合が、Ｈ−Ｃ結合あるいはＣ−Ｃ結合であるポリマー含有組成物。【選択図】    なし【特許請求の範囲】
【請求項１】
機能物質と、溶媒と、親水性ブロックセグメントを有するポリビニルエーテルポリマーと、を含有するポリマー含有組成物であって、該親水性ブロックセグメントの繰り返し単位における、該親水性ブロックセグメントの主鎖を形成する、エーテル酸素原子が結合していない炭素原子側の、該親水性ブロックセグメントの繰り返し単位の末端となる炭素原子と、該炭素原子側の末端基との結合が、Ｈ−Ｃ結合あるいはＣ−Ｃ結合であることを特徴とするポリマー含有組成物。
【請求項２】
前記親水性ブロックセグメントが、下記式（１）で表される末端を有する請求項１に記載のポリマー含有組成物。
【化１】
2005002193.tif 000012
（式中、Ｒ１は、水素、１−アルコキシエチル基、直鎖状、分岐状または環状のアルキル基を表し、１−アルコキシエチル基、アルキル基中の炭素原子はカルボニル基、カルボキシル基で置換されていても良い。
【化２】
2005002193.tif 000013
は、親水性ブロックセグメントの一繰り返し単位を表しており、式（１）中ではエーテル酸素が結合していない炭素原子側の末端の一つの単位を表す。Ｒは、親水性を示す一価の有機基を表す。）
【請求項３】
前記ポリビニルエーテルポリマーが、さらに疎水性ブロックセグメントを有する請求項１または２に記載のポリマー含有組成物。
【請求項４】
前記機能物質が色材である請求項１乃至３のいずれかに記載のポリマー含有組成物。
【請求項５】
前記溶媒が、水または水溶性有機溶剤である請求項１乃至４のいずれかに記載のポリマー含有組成物。
【請求項６】
機能物質と、水性溶媒と、親水性ブロックセグメントを有するポリビニルエーテルポリマーと、を含有するインク組成物であって、該親水性ブロックセグメントの繰り返し単位における、該親水性ブロックセグメントの主鎖を形成する、エーテル酸素原子が結合していない炭素原子側の、該親水性ブロックセグメントの繰り返し単位の末端となる炭素原子と、該炭素原子側の末端基との結合が、Ｈ−Ｃ結合あるいはＣ−Ｃ結合であることを特徴とするインク組成物。
【請求項７】
請求項６に記載のインク組成物を被記録媒体に付与する工程を有することを特徴とする液体付与方法。
【請求項８】
インク吐出部から、前記インク組成物を吐出して被記録媒体上に付与する請求項７記載の液体付与方法。
【請求項９】
前記インク吐出部からの前記インク組成物の吐出は、前記インク組成物に熱エネルギーを作用させて行う請求項８に記載の液体付与方法。
【請求項１０】
請求項６に記載のインク組成物を被記録媒体に付与する手段を有することを特徴とする液体付与装置。
【発明の詳細な説明】
【０００１】
【発明の属する技術分野】
本発明は、各種機能材料と、これを溶媒に分散させるための新規なポリマーを含む組成物、インク組成物、液体付与方法および液体付与装置に関する。
【０００２】
【背景技術】
機能物質を含有する水性分散材料には、従来から機能性材料として、除草剤、殺虫剤等の農薬、抗がん剤、抗アレルギー剤、消炎剤等の医薬、また着色剤を有するインク、トナー等の色材が良く知られている。近年、デジタル印刷技術は非常な勢いで進歩している。このデジタル印刷技術は、電子写真技術、インクジェット技術と言われるものがその代表例であるが、近年オフィス、家庭等における画像形成技術としてその存在感をますます高めてきている。
【０００３】
インクジェット技術はその中でも直接記録方法として、コンパクト、低消費電力という大きな特徴がある。また、ノズルの微細化等により急速に高画質化が進んでいる。インクジェット技術の一例は、インクタンクから供給されたインクをノズル中のヒーターで加熱することで蒸発発泡し、インクを吐出させて記録媒体に画像を形成させるという方法である。他の例はピエゾ素子を振動させることでノズルからインクを吐出させる方法である。
【０００４】
これらの方法に使用されるインクは通常染料水溶液が用いられるため、色の重ね合わせ時ににじみが生じたり、記録媒体上の記録箇所に紙の繊維方向にフェザリングと言われる現象が現れたりする場合があった。
【０００５】
これらの方法に使用されるインクは通常染料水溶液が用いられるため、色の重ね合わせ時ににじみが生じたり、記録媒体上の記録箇所に紙の繊維方向にフェザリングと言われる現象が現れたりする場合があった。これらを改善する目的で顔料分散インクを使用することが検討されている（例えば、米国特許第５０８５６９８号明細書（特許文献１））。しかしながら未だなお多くの改善が望まれている状況である。
【０００６】
【特許文献１】
米国特許第５０８５６９８号明細書
【０００７】
【発明が解決しようとする課題】
本発明は、上記従来技術に鑑みてなされたものであり、顔料等の機能物質が均一分散されたポリマー含有組成物およびインク組成物を提供するものである。また、本発明は、上記のインク組成物を付与する液体付与方法および液体付与装置を提供するものである。
【０００８】
【課題を解決するための手段】
上記課題は、以下の本発明により解決することができる。
【０００９】
本発明の第１の発明は、機能物質と、溶媒と、親水性ブロックセグメントを有するポリビニルエーテルポリマーと、を含有するポリマー含有組成物であって、該親水性ブロックセグメントの繰り返し単位における、該親水性ブロックセグメントの主鎖を形成する、エーテル酸素原子が結合していない炭素原子側の、該親水性ブロックセグメントの繰り返し単位の末端となる炭素原子と、該炭素原子側の末端基との結合が、Ｈ−Ｃ結合あるいはＣ−Ｃ結合であることを特徴とするポリマー含有組成物である。
【００１０】
本発明における前記ポリマーの好ましい一形態としては、前記親水性ブロックセグメントが、下記式（１）で表される末端を有することが好ましい。
【００１１】
【化３】
2005002193.tif 000002
（式中、Ｒ１は、水素、１−アルコキシエチル基、直鎖状、分岐状または環状のアルキル基を表し、１−アルコキシエチル基、アルキル基中の炭素はカルボニル基、カルボキシル基で置換されていても良い。
【００１２】
【化４】
2005002193.tif 000003
は、親水性ブロックセグメントの一繰り返し単位を表しており、式（１）中ではエーテル酸素が結合していない炭素原子側の末端の一つの単位を表す。Ｒは、親水性を示す一価の有機基を表す。）
また本発明における前記ポリマーの好ましい一形態として、さらに疎水性ブロックセグメントを有することが好ましい。
【００１３】
また本発明は、前記機能物質が色材であることが好ましく、また、前記溶媒が水または水溶性有機溶剤であることが好ましい。
【００１４】
本発明の第２の発明は、機能物質と、水性溶媒と、前記の親水性ブロックセグメントを有するポリビニルエーテルポリマーと、を含有することを特徴とするインク組成物である。
【００１５】
本発明の第３の発明は、前記インク組成物を被記録媒体に付与する方法を有することを特徴とする液体付与方法である。本発明の好ましい一形態は、インク吐出部から前記インク組成物を吐出して被記録媒体上に付与して記録を行う液体付与方法である。インク吐出方法としては、インク組成物に熱エネルギーを作用させて行う方法が好ましい。
【００１６】
本発明の第４の発明は、前記インク組成物を被記録媒体に付与する手段を有することを特徴とする液体付与装置である。
【００１７】
このような本発明によれば、顔料等の機能物質が均一分散されたポリマー含有組成物およびインク組成物を提供することができる。また、上記のインク組成物を付与する液体付与方法および液体付与装置を提供することができる。
【００１８】
【発明の実施の形態】
本発明者らは、前記従来技術、課題について鋭意検討した結果、本発明を完成するに至った。
【００１９】
本発明の第１の発明は、機能物質と、溶媒と、親水性ブロックセグメントを有するポリビニルエーテルポリマーと、を含有するポリマー含有組成物であって、該親水性ブロックセグメントの繰り返し単位における、該親水性ブロックセグメントの主鎖を形成する、エーテル酸素原子が結合していない炭素原子側の、該親水性ブロックセグメントの繰り返し単位の末端となる炭素原子と、該炭素原子側の末端基との結合（以下「開始末端結合」と呼ぶ）が、Ｈ−Ｃ結合あるいはＣ−Ｃ結合であるポリマー含有組成物である。
【００２０】
更に、本発明における前記ポリマーの好ましい一形態としては、前記親水性ブロックセグメントが、下記式（１）で表される末端を有することが好ましい。
【００２１】
【化５】
2005002193.tif 000004
（式中、Ｒ１は、水素、１−アルコキシエチル基、直鎖状、分岐状または環状のアルキル基を表し、１−アルコキシエチル基、アルキル基中の炭素はカルボニル基、カルボキシル基で置換されていても良い。
【００２２】
【化６】
2005002193.tif 000005
は、親水性ブロックセグメントの一繰り返し単位を表しており、式（１）中ではエーテル酸素が結合していない炭素原子側の末端の一つの単位を表す。Ｒは、親水性を示す一価の有機基を表す。）
上記のＲの具体例としては、−（ＣＨ２−ＣＨ２−Ｏ）ｎ−Ｒ４および−Ｘ−（ＣＯＯＨ）ｍ、−Ｘ−（ＣＯＯ−Ｍ）ｍから選ばれる。ｎは１から１８の整数である。Ｒ４は水素原子、炭素数１から２までの直鎖状のアルキル基である。Ｘは炭素数１から２０までの直鎖状、分岐状または環状のアルキレン基、または−（ＣＨ（Ｒ５）−ＣＨ（Ｒ６）−Ｏ）ｐ−（ＣＨ２）ｑ−ＣＨ３−ｍ−もしくは−（ＣＨ２）ｑ−（Ｏ）ｒ−（ＣＨ２）ｓ−ＣＨ３−ｍ−または、それらのメチレン基の少なくとも一つがカルボニル基または芳香環構造で置換された構造を表す。ｍは１から２を表す。ｐは１から１８までの整数を表す。ｑは０から３５までの整数を表す。ｒは１または０を表す。ｓは０から１７の整数を表す。Ｍは一価または多価のカチオンを表す。Ｒ５、Ｒ６はアルキル基を表す。Ｒ５、Ｒ６は同じでも又は異なっていてもよい。
【００２３】
親水性ブロックセグメントの繰り返し単位構造の具体例としては、以下に記載したものが挙げられる。
【００２４】
【化７】
2005002193.tif 000006
【００２５】
【化８】
2005002193.tif 000007
本発明に含有されるポリビニルエーテルポリマーの重合には主にカチオン重合を用いることができる。開始剤としては、塩酸、硫酸、メタンスルホン酸、トリフルオロ酢酸、トリフルオロメタンスルホン酸、過塩素酸等のプロトン酸や、ＢＦ３、ＡｌＣｌ３、ＴｉＣｌ４、ＳｎＣｌ４、ＦｅＣｌ３、Ｒ’ＡｌＣｌ２、Ｒ’１．５ＡｌＣｌ１．５（Ｒ’はアルキルを示す）等のルイス酸とカチオン源の組み合わせ（カチオン源としてはプロトン酸や水、アルコール、ビニルエーテルとカルボン酸の付加体などがあげられる。）が例として挙げられる。これらの開始剤を重合性化合物（モノマー）と共存させることにより重合反応が進行し、ポリマー化合物を合成することができる。塩酸等のプロトン酸をカチオン源として用いた場合、開始末端結合がＨ−Ｃ結合であるポリマー化合物が得られ、ビニルエーテルとカルボン酸の付加体等をカチオン源として用いた場合、開始末端結合がＣ−Ｃ結合であるポリマー化合物が得られる。
【００２６】
また、カチオン重合の停止には、非共有電子対を所有する化合物を添加することにより重合を停止することができる。一般に重合停止溶剤としては、水酸基含有化合物、特にメタノールが用いられる（特開２０００−３１９４７３号公報）。
【００２７】
本発明にさらに好ましく用いられる重合方法について説明する。ポリビニルエーテル構造を含むポリマーの合成法は多数報告されているが（特開平１１−０８０２２１号公報）、青島らによるカチオンリビング重合による方法（特開平１１−３２２９４２号公報、特開平１１−３２２８６６号公報）が代表的である。カチオンリビング重合でポリマー合成を行うことにより、ホモポリマーや２成分以上のモノマーからなる共重合体、更にはブロックポリマー、グラフトポリマー、グラジュエーションポリマー等の様々なポリマーを、長さ（分子量）を正確に揃えて合成することができる。また、他にＨＩ／Ｉ２系、ＨＣｌ／ＳｎＣｌ４系等でリビング重合を行うこともできる。
【００２８】
また本発明における前記ポリビニルエーテルポリマーの好ましい一形態として、さらに疎水性ブロックセグメントを有する両親媒性であることが好ましく、両親媒性のブロックポリマーであることが好ましい。
【００２９】
本発明に用いるポリビニルエーテルポリマーは、親水性ブロックセグメントを形成するモノマーから重合を開始し、その重合が完了した後に疎水性ブロックセグメントを形成するモノマーを重合した両親媒性のブロックポリマーが好ましい。ブロック構造の形としては、次のような例が挙げられる。ＡＢというそれぞれのブロックセグメントが異なるジブロックポリマー、ＡＢＡという両端のブロックセグメントが同じ構造のトリブロックポリマー、ＡＢＣというそれぞれのブロックセグメントが異なるトリブロックポリマー等が代表的に挙げられるが、ＡＢＣＤという４つの異なるブロックセグメントを持つものや、ＡＢＣＡという形のもの、更にはそれ以上の個数のブロックセグメントを持つブロックポリマーも本発明に含有される。
【００３０】
疎水性ブロックセグメントとしては、下記式（２）で表されるものが挙げられる。
【００３１】
【化９】
2005002193.tif 000008
（式中、Ｒ２は、炭素数１から１８までの直鎖状、分岐状または環状のアルキル基、−Ｐｈ、−Ｐｈ−Ｐｈ、−（ＣＨ（Ｒ５）−ＣＨ（Ｒ６）−Ｏ）ｐ−Ｒ７および−（ＣＨ２）ｑ−（Ｏ）ｒ−Ｒ７から選ばれ、芳香環中の水素原子は炭素数１から４の直鎖状または分岐状のアルキル基とそれぞれ置換していてもよい。ｐは１から２の整数、ｑは１から３６の整数、ｒは０または１である。Ｒ５、Ｒ６はそれぞれ独立に水素原子もしくは−ＣＨ３である。Ｒ７は炭素数３から１８までの直鎖状、分岐状または環状のアルキル基、−Ｐｈ、−Ｐｙｒ、−Ｐｈ−Ｐｈ、−Ｐｈ−Ｐｙｒ、−ＣＨＯ、−ＣＨ２ＣＨＯ、−ＣＯ−ＣＨ＝ＣＨ２、−ＣＯ−Ｃ（ＣＨ３）＝ＣＨ２からなり、Ｒ７中の炭素原子に結合している水素原子は炭素数１から４の直鎖状または分岐状のアルキル基または−Ｆ、−Ｃｌ、−Ｂｒと、また芳香環中の炭素原子は窒素原子とそれぞれ置換することができる。Ｐｈはフェニル基またはフェニレン基、Ｐｙｒはピリジル基を表す。）
疎水性ブロックセグメントの繰り返し単位構造の具体例としては、以下に記載したものが挙げられる。
【００３２】
【化１０】
2005002193.tif 000009
また、上記のようなポリビニルエーテルポリマーの中には、刺激に応答して、例えば、温度変化、電磁波への暴露、ｐＨの変化、濃度の変化等の刺激により、親水性から疎水性へと、または、疎水性から親水性へと、相変化を起こすものもある。本発明に用いられるポリビニルエーテルポリマーは、親水性ブロックセグメントの開始末端結合がＨ−Ｃ結合またはＣ−Ｃ結合を形成している親水性ブロックセグメントと、疎水性ブロックセグメントとを有する両親媒性ブロックポリマーであって、ブロックセグメント中に刺激応答性ブロックセグメントを含有してもよい。前記刺激は、温度変化、電磁波への暴露、ｐＨの変化、濃度の変化のいずれかであることが好ましく、組み合わせて用いてもよい。
【００３３】
具体的な例でいえば、親水性ブロックセグメントとして、カチオン源にイソブチルビニルエーテルと酢酸の付加体である１−イソブトキシエチルアセテートを用い、モノマーとして親水性ビニルエーテルモノマーである２−メトキシエチルビニルエーテルを用いて重合した、親水性ブロックセグメントの開始末端結合がＣ−Ｃ結合である
【００３４】
【化１１】
2005002193.tif 000010
となる親水性ブロックセグメントＡを持ち、疎水性ブロックセグメントとしてイソブチルビニルエーテルを重合しメタノールで停止した
【００３５】
【化１２】
2005002193.tif 000011
となる疎水性ブロックセグメントＢを持つＡＢ型ジブロックポリマーが挙げられる。この親水性ブロックセグメントＡは、温度の刺激に応答性を示すブロックセグメントであることが知られており、約７０℃以上で疎水性、それ以下で親水性へと相変化を起こすことがＤＳＣ（示差走査熱量計）からも確認されている。
【００３６】
本発明のようなポリビニルエーテルポリマーとは逆に、疎水性ブロックセグメントから重合を行い、次に親水性ブロックセグメントを形成し、メタノール等で重合を停止したポリビニルエーテルポリマーでは、親水性ブロックセグメントの末端に構造的に不安定なアセタール末端を持ち、水溶液中において親水性ブロックセグメントがシェル側になったミセルを形成するため、水溶液中の外的因子、例えば、酸またはアルカリ等の影響を受けやすく、一部安定性に問題が生じる場合があった。本発明のようなポリビニルエーテルポリマーを用いることで、親水性ブロックセグメントの末端にアセタール末端がないため、外的因子に触れる確率が大幅に減り、安定に分散できるようになる。
【００３７】
また、本発明で使用できるブロックポリマーの各ブロックセグメントは単一の繰り返し単位からなるものでもよく、複数の繰り返し単位構造からなるものでもよい。複数の繰り返し単位からなるブロックセグメントの例としては、ランダム共重合体や徐々に組成比が変化するグラデュエイション共重合体がある。また、ブロックポリマーが他のポリマーにグラフト結合したポリマーであっても良い。
【００３８】
本発明のポリビニルエーテルポリマーの数平均分子量（Ｍｎ）は、２００以上１０００００００以下であり、好ましく用いられる範囲としては１０００以上１００００００以下である。１０００００００を越えると高分子鎖内、高分子鎖間の絡まりあいが多くなりすぎ、溶剤に分散しにくかったりする。２００未満である場合、分子量が小さく高分子としての立体効果が出にくかったりする場合がある。ブロックポリマーの場合、各ブロックセグメントの好ましい重合度は３以上１００００以下である。さらに好ましくは５以上５０００以下である。さらに好ましくは１０以上４０００以下である。
【００３９】
また、分散安定性向上、機能材料等の包接性（内包性）向上のためにはポリマーの分子運動性がよりフレキシブルであることが機能物質の表面と物理的に絡まり親和しやすい点を有しているため好ましい。さらには後に詳述するように被記録媒体上で被覆層を形成しやすい点でもフレキシブルであることが好ましい。このためにはポリマーの主鎖のガラス転移温度Ｔｇは、好ましくは２０℃以下であり、より好ましくは０℃以下であり、さらに好ましくは−２０℃以下である。この点でもポリビニルエーテル構造を有するポリマーは、一般にガラス転移点が低く、フレキシブルな特性を有するため、好ましく用いられる。上記した繰り返し単位構造例の場合、ほとんどそのガラス転移温度は−２０℃くらいか、それ以下である。
【００４０】
このようなポリビニルエーテルポリマーは、ポリマー含有組成物の全質量に対して、０．１〜９９質量％であり、好ましくは０．３〜７０質量％である。０．１質量％未満の場合、機能物質の分散性が充分でない場合が有り、９９質量％を越える場合、粘度が高くなりすぎたりする場合がある。
【００４１】
本発明の機能物質とは、希望する機能を発揮する化合物または組成物を意味する。例えば、除草剤、殺虫剤等の農薬、抗がん剤、抗アレルギー剤、消炎剤等の医薬、また、色材、代表的には顔料あるいは染料をあげることができる。例えば、上記の農薬であれば除草効果を有する活性化合物、殺虫効果を有する活性化合物である。また、上記の医薬であれば、対象の症状を緩和または緩解する化合物である。また、上記の色材としての利用では、顔料のような粒状固体、染料化合物などである。本発明においては機能物質として好ましく色材が用いられる。また、本発明のポリマー含有組成物中に含有される機能物質は、液体、固体である場合が好ましい。例えば、オイル、顔料、金属、除草剤、殺虫剤、生体材料、薬、染料や分子性触媒等も用いることができる。特に、顔料や染料等の色材を用いることが好ましい。
【００４２】
更に、本発明のポリマー含有組成物中に含有される機能物質の含有量は、０．１質量％以上、８０質量％以下である。好ましくは０．５質量％以上６０質量％以下である。０．１質量％未満の場合、機能性が充分に発現しない場合があり、８０質量％を越える場合、分散が充分でない場合がある。
【００４３】
また、本発明のポリマー含有組成物中に含有される溶媒は、水または水溶性有機溶剤を含む水性溶媒であることが好ましい。水溶性有機溶剤としては、例えば、エチレングリコール、ジエチレングリコール、トリエチレングリコール、ポリエチレングリコール、プロピレングリコール、ポリプロビレングリコール、グリセリン等の多価アルコール類、エチレングリコールモノメチルエーテル、エチレングリコールモノエチルエーテル、エチレングリコールモノブチルエーテル、ジエチレングリコールモノエチルエーテル、ジエチレングリコールモノブチルエーテル等の多価アルコールエーテル類、Ｎ−メチル−２−ピロリドン、置換ピロリドン、トリエタノールアミン等の含窒素溶媒等を用いることができる。また、メタノール、エタノール、イソプロピルアルコール等の一価アルコール類を用いることもできる。
【００４４】
上述の溶媒の含有量は、０．９質量％以上９９質量％以下である。好ましくは１０質量％以上９５質量％以下である。０．９質量％未満の場合や９９質量％を越える場合、機能物質等の分散が充分でない場合がある。水性溶媒中の水と水溶性有機溶剤との割合は、質量比で９５／５〜５０／５０が好ましい。
【００４５】
また、ポリマー含有組成物中には、上記以外の成分を含有することを妨げず、安定剤、非水溶性有機溶剤、バインダー樹脂等の添加剤を含有することも可能である。
【００４６】
さらに、本発明の組成物の好ましい一形態であるインク組成物について説明する。
【００４７】
本発明のインク組成物は、前述の親水性ブロックセグメントを有するポリビニルエーテルポリマーと、水または水溶性有機溶剤からなる水性溶媒と、色剤とを含むインク組成物である。その他に添加剤を含んでも良い。本発明のインク組成物に含有される親水性ブロックセグメントを有するポリビニルエーテルポリマーの含有量は、０．１質量％以上９０質量％以下の範囲で用いられる。好ましくは０．３質量％以上８０質量％以下である。インクジェットプリンタ用としては、好ましくは０．３質量％以上３０質量％以下で用いられる。
【００４８】
次に、本発明のインク組成物に含有される親水性ブロックセグメントを有するポリビニルエーテルポリマー以外の他の成分について詳しく説明する。
【００４９】
色材としては、代表的に顔料、染料があげられる。顔料は、有機顔料および無機顔料のいずれでもよく、インクに用いられる顔料は、好ましくは黒色顔料と、シアン、マゼンタ、イエローの３原色顔料を用いることができる。なお、上記に記した以外の色顔料、無色または淡色の顔料、または金属光沢顔料等を使用してもよい。また、本発明において、市販の顔料を用いてもよいし、あるいは新規に合成した顔料を用いてもよい。また、染料と併用して用いても良い。
【００５０】
以下に、黒、シアン、マゼンタ、イエローにおいて、市販されている顔料を例示する。
【００５１】
黒色の顔料としては、Ｒａｖｅｎ１０６０、Ｒａｖｅｎ１０８０、Ｒａｖｅｎ１１７０、Ｒａｖｅｎ１２００、Ｒａｖｅｎ１２５０、Ｒａｖｅｎ１２５５、Ｒａｖｅｎ１５００、Ｒａｖｅｎ２０００、Ｒａｖｅｎ３５００、Ｒａｖｅｎ５２５０、Ｒａｖｅｎ５７５０、Ｒａｖｅｎ７０００、Ｒａｖｅｎ５０００  ＵＬＴＲＡＩＩ、Ｒａｖｅｎ１１９０  ＵＬＴＲＡＩＩ（以上、コロンビアン・カーボン社製、商品名）、Ｂｌａｃｋ  Ｐｅａｒｌｓ  Ｌ、ＭＯＧＵＬ−Ｌ、Ｒｅｇａｌ４００Ｒ、Ｒｅｇａｌ６６０Ｒ、Ｒｅｇａｌ３３０Ｒ、Ｍｏｎａｒｃｈ  ８００、Ｍｏｎａｒｃｈ  ８８０、Ｍｏｎａｒｃｈ  ９００、Ｍｏｎａｒｃｈ  １０００、Ｍｏｎａｒｃｈ  １３００、Ｍｏｎａｒｃｈ  １４００（以上、キャボット社製、商品名）、Ｃｏｌｏｒ  Ｂｌａｃｋ  ＦＷ１、Ｃｏｌｏｒ  Ｂｌａｃｋ  ＦＷ２、Ｃｏｌｏｒ  Ｂｌａｃｋ  ＦＷ２００、Ｃｏｌｏｒ  Ｂｌａｃｋ  １８、ＣｏｌｏｒＢｌａｃｋ  Ｓ１６０、Ｃｏｌｏｒ  Ｂｌａｃｋ  Ｓ１７０、Ｓｐｅｃｉａｌ  Ｂｌａｃｋ  ４、Ｓｐｅｃｉａｌ  Ｂｌａｃｋ  ４Ａ、Ｓｐｅｃｉａｌ  Ｂｌａｃｋ  ６、Ｐｒｉｎｔｅｘ３５、ＰｒｉｎｔｅｘＵ、Ｐｒｉｎｔｅｘ１４０Ｕ、ＰｒｉｎｔｅｘＶ、Ｐｒｉｎｔｅｘ１４０Ｖ（以上、デグッサ社製、商品名）、Ｎｏ．２５、Ｎｏ．３３、Ｎｏ．４０、Ｎｏ．４７、Ｎｏ．５２、Ｎｏ．９００、Ｎｏ．２３００、ＭＣＦ−８８、ＭＡ６００、ＭＡ７、ＭＡ８、ＭＡ１００（以上、三菱化学社製、商品名）等を挙げることができるが、これらに限定されない。
【００５２】
シアン色の顔料としては、Ｃ．Ｉ．Ｐｉｇｍｅｎｔ  Ｂｌｕｅ−１、Ｃ．Ｉ．Ｐｉｇｍｅｎｔ  Ｂｌｕｅ−２、Ｃ．Ｉ．Ｐｉｇｍｅｎｔ  Ｂｌｕｅ−３、Ｃ．Ｉ．Ｐｉｇｍｅｎｔ  Ｂｌｕｅ−１５、Ｃ．Ｉ．Ｐｉｇｍｅｎｔ  Ｂｌｕｅ−１５：２、Ｃ．Ｉ．Ｐｉｇｍｅｎｔ  Ｂｌｕｅ−１５：３、Ｃ．Ｉ．Ｐｉｇｍｅｎｔ  Ｂｌｕｅ−１５：４、Ｃ．Ｉ．Ｐｉｇｍｅｎｔ  Ｂｌｕｅ−１６、Ｃ．Ｉ．Ｐｉｇｍｅｎｔ  Ｂｌｕｅ−２２、Ｃ．Ｉ．Ｐｉｇｍｅｎｔ  Ｂｌｕｅ−６０等が挙げられるが、これらに限定されない。
【００５３】
マゼンタ色の顔料としては、Ｃ．Ｉ．Ｐｉｇｍｅｎｔ  Ｒｅｄ−５、Ｃ．Ｉ．Ｐｉｇｍｅｎｔ  Ｒｅｄ−７、Ｃ．Ｉ．Ｐｉｇｍｅｎｔ  Ｒｅｄ−１２、Ｃ．Ｉ．Ｐｉｇｍｅｎｔ  Ｒｅｄ−４８、Ｃ．Ｉ．Ｐｉｇｍｅｎｔ  Ｒｅｄ−４８：１、Ｃ．Ｉ．Ｐｉｇｍｅｎｔ  Ｒｅｄ−５７、Ｃ．Ｉ．Ｐｉｇｍｅｎｔ  Ｒｅｄ−１１２、Ｃ．Ｉ．Ｐｉｇｍｅｎｔ  Ｒｅｄ−１２２、Ｃ．Ｉ．Ｐｉｇｍｅｎｔ  Ｒｅｄ−１２３、Ｃ．Ｉ．Ｐｉｇｍｅｎｔ  Ｒｅｄ−１４６、Ｃ．Ｉ．Ｐｉｇｍｅｎｔ  Ｒｅｄ−１６８、Ｃ．Ｉ．Ｐｉｇｍｅｎｔ  Ｒｅｄ−１８４、Ｃ．Ｉ．Ｐｉｇｍｅｎｔ  Ｒｅｄ−２０２、Ｃ．Ｉ．Ｐｉｇｍｅｎｔ  Ｒｅｄ−２０７等が挙げられるが、これらに限定されない。
【００５４】
イエローの顔料としては、Ｃ．Ｉ．Ｐｉｇｍｅｎｔ  Ｙｅｌｌｏｗ−１２、Ｃ．Ｉ．Ｐｉｇｍｅｎｔ  Ｙｅｌｌｏｗ−１３、Ｃ．Ｉ．Ｐｉｇｍｅｎｔ  Ｙｅｌｌｏｗ−１４、Ｃ．Ｉ．Ｐｉｇｍｅｎｔ  Ｙｅｌｌｏｗ−１６、Ｃ．Ｉ．Ｐｉｇｍｅｎｔ  Ｙｅｌｌｏｗ−１７、Ｃ．Ｉ．Ｐｉｇｍｅｎｔ  Ｙｅｌｌｏｗ−７４、Ｃ．Ｉ．Ｐｉｇｍｅｎｔ  Ｙｅｌｌｏｗ−８３、Ｃ．Ｉ．Ｐｉｇｍｅｎｔ  Ｙｅｌｌｏｗ−９３、Ｃ．Ｉ．Ｐｉｇｍｅｎｔ  Ｙｅｌｌｏｗ−９５、Ｃ．Ｉ．Ｐｉｇｍｅｎｔ  Ｙｅｌｌｏｗ−９７、Ｃ．Ｉ．Ｐｉｇｍｅｎｔ  Ｙｅｌｌｏｗ−９８、Ｃ．Ｉ．Ｐｉｇｍｅｎｔ  Ｙｅｌｌｏｗ−１１４、Ｃ．Ｉ．Ｐｉｇｍｅｎｔ  Ｙｅｌｌｏｗ−１２８、Ｃ．Ｉ．Ｐｉｇｍｅｎｔ  Ｙｅｌｌｏｗ−１２９、Ｃ．Ｉ．Ｐｉｇｍｅｎｔ  Ｙｅｌｌｏｗ−１５１、Ｃ．Ｉ．Ｐｉｇｍｅｎｔ  Ｙｅｌｌｏｗ−１５４等が挙げられるが、これらに限定されない。
【００５５】
また、本発明のインク組成物では、水に自己分散可能な顔料も使用できる。水分散可能な顔料としては、顔料表面にポリマーを吸着させた立体障害効果を利用したものと、静電気的反発力を利用したものとがあり、市販品としては、ＣＡＢ−０−ＪＥＴ２００、ＣＡＢ−０−ＪＥＴ３００（以上、キャボット社製、商品名）、Ｍｉｃｒｏｊｅｔ  Ｂｌａｃｋ  ＣＷ−１（オリエント化学社製、商品名）等が挙げられる。
【００５６】
本発明のインク組成物に用いられる顔料は、インク組成物の全質量に対して、０．１〜５０質量％が好ましい。顔料の量が、０．１質量％未満であると、十分な画像濃度を得られなくなり、５０質量％を超えると顔料が凝集し分散できなくなる。さらに好ましい範囲としては０．５〜３０質量％の範囲である。
【００５７】
また、本発明のインク組成物では染料も使用することができる。以下に、各色の市販されている油溶性染料を例示する。
【００５８】
黒色の油溶性染料としては、Ｃ．Ｉ．Ｓｏｌｖｅｎｔ  Ｂｌａｃｋ  −３，−５，−６，−７，−８，−１３，−２２，−２２：１，−２３，−２６，−２７，−２８，−２９，−３３，−３４，−３５，−３９，−４０，−４１，−４２，−４３，−４５，−４６，−４７，−４８，−４９，−５０等が挙げられるが、これらに限定されない。
【００５９】
イエローの油溶性染料としては、Ｃ．Ｉ．Ｓｏｌｖｅｎｔ  Ｙｅｌｌｏｗ−１，−２，−３，−４，−６，−７，−８，−１０，−１２，−１３，−１４，−１６，−１８，−１９，−２１，−２５，−２５：１，−２８，−２９，−３０，−３２，−３３，−３４，−３６，−３７，−３８，−４０，−４２，−４３，−４４，−４７，−４８，−５５，−５６，−５８，−６０，−６２，−６４，−６５，−７２，−７３，−７７，−７９，−８１，−８２，−８３，−８３：１，−８５，−８８，−８９，−９３，−９４，−９６，−９８，−１０３，−１０４，−１０５，−１０７，−１０９，−１１２，−１１４，−１１６，−１１７，−１２２，−１２３，−１２４，−１２８，−１２９，−１３０，−１３１，−１３３，−１３４，−１３５，−１３８，−１３９，−１４０，−１４１，−１４３，−１４６，−１４７，−１４８，−１４９，−１５０，−１５１，−１５２，−１５３，−１５７，−１５８，−１５９，−１６０：１，−１６１，−１６２，−１６３，−１６４，−１６５，−１６７，−１６８，−１６９，−１７０，−１７１，−１７２等が挙げられるが、これらに限定されない。
【００６０】
オレンジの油溶性染料としては、Ｃ．Ｉ．Ｓｏｌｖｅｎｔ  Ｏｒａｎｇｅ−１，−２，−３，−４，−４：１，−５，−６，−７，−１１，−１６，−１７，−１９，−２０，−２３，−２５，−３１，−３２，−３７，−３７：１，−３８，−４０，−４０：１，−４１，−４５，−５４，−５６，−５９，−６０，−６２，−６３，−６７，−６８，−７１，−７２，−７３，−７４，−７５，−７６，−７７，−７９，−８０，−８１，−８４，−８５，−８６，−９１，−９４，−９５，−９８，−９９等が挙げられるが、これらに限定されない。
【００６１】
レッドの油溶性染料としては、Ｃ．Ｉ．Ｓｏｌｖｅｎｔ  Ｒｅｄ−１，−２，−３，−４，−７，−８，−１３，−１４，−１７，−１８，−１９，−２３，−２４，−２５，−２６，−２７，−２９，−３０，−３３，−３５，−３７，−３９，−４１，−４２，−４３，−４５，−４６，−４７，−４８，−４９，−４９：１，−５２，−６８，−６９，−７２，−７３，−７４，−８０，−８１，−８２，−８３，−８３：１，−８４，−８４：１，−８９，−９０，−９０：１，−９１，−９２，−１０６，−１０９，−１１１，−１１７，−１１８，−１１９，−１２２，−１２４，−１２５，−１２７，−１３０，−１３２，−１３５，−１３８，−１４０，−１４３，−１４５，−１４６，−１４９，−１５０，−１５１，−１５２，−１５５，−１６０，−１６４，−１６５，−１６６，−１６８，−１６９，−１７２，−１７５，−１７６，−１７７，−１７９，−１８０，−１８１，−１８２，−１８５，−１８８，−１８９，−１９５，−１９８，−２０２，−２０３，−２０４，−２０５，−２０６，−２０７，−２０８，−２０９，−２１０，−２１２，−２１３，−２１４，−２１５，−２１６，−２１７，−２１８，−２１９，−２２０，−２２１，−２２２，−２２３，−２２４，−２２５，−２２６，−２２７，−２２８，−２２９等が挙げられるが、これらに限定されない。
【００６２】
バイオレットの油溶性染料としては、Ｃ．Ｉ．Ｓｏｌｖｅｎｔ  Ｖｉｏｌｅｔ−２，−３，−８，−９，−１０，−１１，−１３，−１４，−２１，−２１：１，−２４，−３１，−３２，−３３，−３４，−３６，−３７，−３８，−４５，−４６，−４７等が挙げられるが、これらに限定されない。
【００６３】
ブルーの油溶性染料としては、Ｃ．Ｉ．Ｓｏｌｖｅｎｔ  Ｂｌｕｅ−２，−４，−５，−７，−１０，−１１，−１２，−１４，−２２，−２５，−２６，−３５，−３６，−３７，−３８，−４３，−４４，−４５，−４８，−４９，−５０，−５１，−５９，−６３，−６４，−６６，−６７，−６８，−７０，−７２，−７９，−８１，−８３，−９１，−９４，−９５，−９７，−９８，−９９，−１００，−１０２，−１０４，−１０５，−１１１，−１１２，−１１６，−１１７，−１１８，−１２２，−１２７，−１２８，−１２９，−１３０，−１３１，−１３２，−１３３，−１３４等が挙げられるが、これらに限定されない。
【００６４】
グリーンの油溶性染料としては、Ｃ．Ｉ．Ｓｏｌｖｅｎｔ  Ｇｒｅｅｎ−１，−３，−４，−５，−７，−８，−９，−２０，−２６，−２８，−２９，−３０，−３２，−３３等が挙げられるが、これらに限定されない。
【００６５】
ブラウンの油溶性染料としては、Ｃ．Ｉ．Ｓｏｌｖｅｎｔ  Ｂｒｏｗｎ−１，−１：１，−２，−３，−４，−５，−６，−１２，−１９，−２０，−２２，−２５，−２８，−２９，−３１，−３７，−３８，−４２，−４３，−４４，−４８，−４９，−５２，−５３，−５８等が挙げられるが、これらに限定されない。
【００６６】
また、直接染料、酸性染料、塩基性染料、反応性染料、食品用色素等の水溶性染料の使用または併用もできる。
【００６７】
前記インク組成物に用いられる染料は、インクの全質量に対して、０．１〜５０質量％が好ましい。
【００６８】
上述のような顔料と染料を併用する場合は、その合計量がインク組成物中に０．１〜５０質量％であることが好ましい。
【００６９】
なお、これら上記の色材の例は、本発明のインク組成物に対して好ましいものであるが、上記色材に特に限定されるものではない。
【００７０】
水としては、金属イオン等を除去したイオン交換水、純水、超純水が好ましい。水は本発明のインク組成物中に好ましくは１〜９５質量％含有される。さらに好ましくは５〜９０質量％未満含有される。５〜９５質量％の範囲では、分散の効果がより顕著であり、色材のより均一な分散状態が実現できる。
【００７１】
水溶性有機溶剤としては、例えば、エチレングリコール、ジエチレングリコール、トリエチレングリコール、ポリエチレングリコール、プロピレングリコール、ポリプロビレングリコール、グリセリン等の多価アルコール類；エチレングリコールモノメチルエーテル、エチレングリコールモノエチルエーテル、エチレングリコールモノブチルエーテル、ジエチレングリコールモノエチルエーテル、ジエチレングリコールモノブチルエーテル等の多価アルコールエーテル類；および、Ｎ−メチル−２−ピロリドン、置換ピロリドン、トリエタノールアミン等の含窒素溶媒等を挙げることができる。また、インクの用途によっては、紙（被記録媒体）上での乾燥を速めることを目的として、メタノール、エタノール、イソプロピルアルコール等の一価アルコール類を用いることもできる。
【００７２】
水溶性有機溶剤はインク組成物中に好ましくは０．１〜５０質量％含有される。さらに好ましくは０．５〜４０質量％未満含有される。０．１〜５０質量％の範囲では、湿潤の効果がより顕著であり、色材のより均一な分散状態が実現できる。
【００７３】
本発明のインク組成物で用いる水性溶媒は、水と水溶性有機溶剤の混合物が好ましい。その際のインク組成物中の水性溶媒は、トータルとして９．９〜９９質量％であることが好ましい。また、水性溶媒中の水と水溶性有機溶剤との割合は、質量比で９５／５〜５０／５０が好ましい。
【００７４】
本発明のインク組成物は好ましくインクジェット用インクとして好適に使用することができる。
【００７５】
次に、本発明におけるインクジェット用インクの作成方法について説明する。［インクジェット用インクの作成方法］
本発明のインクジェット用インク組成物の作成方法としては、顔料、上述の親水性ブロックセグメントを有するポリビニルエーテルポリマー、及び添加剤等をイオン交換水中に加え、分散機を用いて分散させた後、遠心分離機等により粗大粒子を除去し、次いで水性溶媒、あるいは添加剤等を添加し、攪拌、混合、濾過を行うものを例として挙げることができる。
【００７６】
分散機としては、例えば、超音波ホモジナイザー、ラボラトリーホモジナイザー、コロイドミル、ジェットミル、ボールミル等があり、これらを単独もしくは組み合わせて用いてもよい。
【００７７】
また、自己分散顔料を用いた場合においても、上記の方法と同様の操作により作成することができる。
【００７８】
次に、本発明の液体付与方法について説明する。
【００７９】
［液体付与方法］
本発明の液体付与方法は、本発明のインク組成物を被記録媒体に付与する工程を有するものである。具体的には、インク吐出部からインクを吐出して被記録媒体上に付与して記録を行う液体付与方法である。特に、一定のパターンを被記録媒体上に形成するパターン形成方法や、画像や文字を被記録媒体上に形成する各種印刷法、インクジェット法、電子写真法等の様々な画像形成方法として好ましく用いられ、インクジェット法において用いることが特に好ましい。
【００８０】
用いられるインクジェット法は、圧電素子を用いたピエゾインクジェット方式や、熱エネルギーを作用させて発泡し記録を行う熱インクジェット方式のような周知の方法であってもよい。特に熱エネルギーを作用させる方法が好ましい。また、コンティニュアス型またはオンデマンド型のいずれの方法を用いてもよい。また、本発明のインク組成物は、中間転写体にインクを印字した後、紙等の最終被記録媒体に転写する記録方式に用いることもできる。
【００８１】
次に、本発明の液体付与装置について説明する。
【００８２】
［液体付与装置］
本発明の液体付与装置は、本発明のインク組成物を被記録媒体に付与する手段を有するものである。具体的には、一定のパターンを被記録媒体上に形成するパターン形成方法を利用したパターン形成装置や、画像や文字を被記録媒体上に形成する各種印刷法、インクジェット法、電子写真法等の様々な画像形成方法を利用した画像形成装置などの液体タンクに本発明のインク組成物を配置した液体付与装置が挙げられ、インクジェット記録装置が特に好ましい。
【００８３】
本発明のインク組成物を用いるインクジェット記録装置は、圧電素子を用いたピエゾインクジェット方式や、熱エネルギーを作用させて発泡し記録を行う熱インクジェット方式等のようなインクジェット記録装置を含む。
【００８４】
図１に、インクジェット記録装置の概略的機能図を示す。５０はインクジェット記録装置２０の中央処理ユニット（ＣＰＵ）である。ＣＰＵ５０を制御するためのプログラムは、プログラムメモリ６６に記憶されていてもよいし、あるいはいわゆるファームウェアとしてＥＥＰＲＯＭ（不図示）等の記憶手段に記憶されていてもよい。インクジェット記録装置は、記録データ作成手段（不図示、コンピュータなど）から、プログラムメモリ６６に記録データを受容する。記録データは、記録すべき画像あるいは文字の情報そのものでもよいし、それら情報の圧縮されたものでもよいし、または符号化された情報であってもよい。圧縮または符号化された情報を処理する場合には、ＣＰＵ５０に伸長または展開を行わせて記録すべき画像あるいは文字の情報を得ることができる。Ｘエンコーダ６２（例えば、Ｘ方向または主走査方向に関する）およびＹエンコーダ６４（例えば、Ｙ方向または副走査方向に関する）を設けて、被記録媒体に対するヘッドの相対位置をＣＰＵ５０に通知することができる。
【００８５】
ＣＰＵ５０は、プログラムメモリ６６、Ｘエンコーダ６２およびＹエンコーダ６４の情報に基づいて、画像を記録するための信号をＸモータ駆動回路５２、Ｙモータ駆動回路５４およびヘッド駆動回路６０に送信する。Ｘモータ駆動回路５２はＸ方向駆動モータ５６を、Ｙモータ駆動回路５４はＹ方向駆動モータ５８をそれぞれ駆動し、ヘッド７０を被記録媒体に対して相対的に移動させ、記録位置に移動させる。ヘッド駆動回路６０は、ヘッド７０が記録位置に移動した時点で、各種インク組成物（Ｙ、Ｍ、Ｃ、Ｋ）あるいは刺激となる刺激付与物質の吐出を行わせるための信号をヘッド７０に送信し、記録を行う。ヘッド７０は、単色のインク組成物を吐出するためのものであってもよいし、複数種のインク組成物を吐出するためのものであってもよいし、あるいは刺激となる刺激付与物質を吐出する機能を併せて有していてもよい。
【００８６】
【実施例】
以下、実施例により本発明を詳細に説明するが、本発明はこれらの実施例に限定されない。
【００８７】
実施例１
２−（２−エトキシ）エトキシエチルビニルエーテル（ＥＯＥＯＶＥ）の重合体のブロックセグメント（Ａブロック）とイソブチルビニルエーテル（ＩＢＶＥ）の重合体のブロックセグメント（Ｂブロック）とからなるジブロックポリマーの合成。
【００８８】
三方活栓を取り付けたガラス容器内を窒素置換した後、窒素ガス雰囲気下２５０℃に加熱し吸着水を除去した。系を室温に戻した後、ＥＯＥＯＶＥ１２ｍｍｏｌ（ミリモル）、酢酸エチル１６ｍｍｏｌ、１−イソブトキシエチルアセテート０．０５ｍｍｏｌ、及びトルエン１１ｍｌを加え、反応系を冷却した。系内温度が０℃に達したところでエチルアルミニウムセスキクロリド（ジエチルアルミニウムクロリドとエチルアルミニウムジクロリドとの等モル混合物）を０．２ｍｍｏｌ加え重合を開始した。分子量を時分割にゲルパーミエーションクロマトグラフィー（ＧＰＣ）を用いてモニタリングし、Ａブロックの重合の完了を確認した。なお、重合完了は、モノマー添加率に対する分子量の変化をモニターすることで判断した（以下同様の判断とした）。この段階でのＭｎ＝２．６×１０４、Ｍｗ／Ｍｎ＝１．２１であった。
【００８９】
次いで、ＢブロックのモノマーであるＩＢＶＥを１２ｍｍｏｌ添加し、重合を続行した。ＧＰＣを用いるモニタリングによって、Ｂブロックの重合の完了を確認した後、重合反応を停止した。重合反応の停止は、系内に０．３質量％のアンモニア／メタノール水溶液を加えて行った。反応混合物溶液をジクロロメタンにて希釈し、０．６Ｍ塩酸で３回、次いで蒸留水で３回洗浄した。得られた有機相をエバポレーターで濃縮・乾固したものを真空乾燥させ、モノマー性化合物を除去し、目的物であるジブロックポリマーを得た。化合物の同定は、ＮＭＲおよびＧＰＣを用いて行った。Ｍｎ＝４．２×１０４、Ｍｗ／Ｍｎ＝１．２６であった。重合比（モノマーユニット比）はＡ：Ｂ＝２００：２００であった。このジブロックポリマーの親水性ブロックセグメントはＡブロックであり、その末端はＣ−Ｃ結合を形成しているものである。
【００９０】
実施例２
実施例１で得たジブロックポリマー１５質量部とオイルブルーＮ（商品名、Ｃ．Ｉ．Ｓｏｌｖｅｎｔ  Ｂｌｕｅ−１４、アルドリッチ社製）７質量部をＴＨＦ７０質量部に共溶解し、これを８００質量部の０．００５規定の水酸化ナトリウム水溶液に攪拌しながら滴下し、エチレングリコール５０質量部を加えて、インク組成物を得た。大塚電子（株）製粒径測定装置ＤＬＳ７０００（商品名）で粒径を測定したところ、平均粒径１１０ｎｍ、分散度指数は０．０９８であった。５０℃で５０日間放置したが、沈殿物は無かった。
【００９１】
実施例３
インクジェットプリンタ（商品名ＢＪＦ８００、キヤノン社製）の印刷ヘッドに実施例２で作成したインク組成物を充填し、普通紙に文字記録を行った。きれいに印字できた。
【００９２】
比較例１
ポリ（メトキシエチレンアクリレート）とメチルアクリレートの１対１のブロック共重合体（数平均分子量１５１００）を用いて、このポリマーを２５質量部と脂溶性染料オイルブルーＮ（アルドリッチ社製）７質量部、をＴＨＦ７０質量部に溶解したのち、これを８００質量部の０．００５規定の水酸化ナトリウム水溶液に攪拌しながら滴下し、さらにエチレングリコール５０質量部を加えて、インク組成物を得た。５０℃で３日間放置したところ、沈殿物が観察できた。
【００９３】
【発明の効果】
以上説明した様に、本発明によれば、顔料等の機能物質が均一分散されたポリマー含有組成物およびインク組成物となる。また、本発明は、上記のポリマー含有組成物を付与する液体付与方法および液体付与装置を提供できる。
【図面の簡単な説明】
【図１】本発明の液体付与装置の構成を示す概略図である。
【符号の説明】
２０  インクジェット記録装置
５０  ＣＰＵ
５２  Ｘモータ駆動回路
５４  Ｙモータ駆動回路
５６  Ｘ方向駆動モータ
５８  Ｙ方向駆動モータ
６０  ヘッド駆動回路
６２  Ｘエンコーダ
６４  Ｙエンコーダ
６６  プログラムメモリ
７０  ヘッド
【図１】
2005002193.tif 000014